【事件の表示】
　特許第３３２４１８８号「ホログラムカード」の請求項１ないし５に係る特許に対する特許異議の申立てについて、次のとおり決定する。
【結　論】
　訂正を認める。
　特許第３３２４１８８号の請求項１ないし５に係る特許を維持する。
【理　由】
１・手続の経緯
　本件特許第３３２４１８８号の請求項１ないし５に係る発明は、平成５年３月３０日に出願され、平成１４年７月５日にその発明について特許権の設定登録がなされ、その後、長谷川三冶子より請求項１ないし５に係る発明の特許について特許異議の申立てがなされ、取消しの理由が通知され、その指定期間内である平成１５年８月１１日に訂正請求がなされたものである。
　
２・訂正の適否についての判断
　
（２−１）訂正の内容
ア・訂正事項ａ
　特許請求の範囲を、
「【請求項１】片面または両面の一部に所望のデザインからなる印刷層を形成してなるカード基材上に全面ホログラムを貼り合わせてなるホログラムカードであって、
前記全面ホログラムは、
透明または半透明の基材からなるホログラム面が形成されたホログラム形成層と、
　前記ホログラム面上に前記印刷層に対応する箇所を除いて積層された金属薄膜層または蒸着層と、
　この金属薄膜層上または蒸着層上に設けられ、前記カード基材上に貼り合わせられる接着剤層とを備え、
　前記ホログラム形成層の前記印刷層に対応する箇所を透明または半透明の窓部として成ることを特徴とするホログラムカード。
【請求項２】前記ホログラム形成層は、ホログラム面が全面に形成されて成ることを特徴とする請求項１に記載のホログラムカード。
【請求項３】前記ホログラム形成層の窓部に対応する箇所に難蒸着性インキを設けて成り、金属薄膜層または蒸着層は、光反射性を有することを特徴とする請求項１に記載のホログラムカード。
【請求項４】前記ホログラム形成層上に保護層を設けて成り、前記印刷層は、少なくともマイクロ文字の印刷部を含んでいることを特徴とする請求項１に記載のホログラムカード。
【請求項５】前記ホログラム形成層上に絵柄層を設けて成ることを特徴とする請求項４に記載のホログラムカード。」と訂正する。
イ・訂正事項ｂ
  明細書の段落番号【００１２】の「また、上記ホログラム形成層の窓部に対応する箇所に難蒸着性インキを設けて成る。」を「また、上記ホログラム形成層の窓部に対応する箇所に難蒸着性インキを設けて成る。上記金属薄膜層または蒸着層は、光反射性を有している。」と訂正する。
ウ・訂正事項ｃ
　明細書の段落番号【００１３】の「さらに、上記ホログラム形成層上に保護層を設けてなる。」を「さらに、上記ホログラム形成層上に保護層を設けてなる。上記印刷層は、少なくともマイクロ文字の印刷部を含んでいる。」と訂正する。
　
（２−２）訂正の目的の適否、新規事項の有無及び特許請求の範囲の拡張・変更の存否
　上記訂正事項ａは、請求項３に「前記金属薄膜層または蒸着層は、光反射性を有する」構成、請求項４に「前記印刷層は、少なくともマイクロ文字の印刷部を含んでいる」構成を加えようとするものであるが、請求項３に新たに加わった構成は、願書に添付した明細書（以下、特許明細書という。）の段落番号【００２０】、【００２４】に、請求項４に新たに加わった構成は、段落番号【００１９】、願書に添付した図面の図１、図２に記載されているから、これら新たに加わった構成は、特許明細書に記載されていたものと認める。
　そうすると、上記訂正事項ａは、特許明細書に記載された事項の範囲内において、請求項３に記載されていた「金属薄膜層または蒸着層」及び請求項４に記載されていた「印刷部」をさらに限定したものであるから、特許請求の範囲の減縮を目的とした明細書の訂正に該当するものであり、新規事項の追加に該当しない。
　上記訂正事項ｂ及びｃは、上記訂正事項ａとの整合を図るものであるから、明りょうでない記載の釈明を目的とした明細書の訂正に該当するものであり、新規事項の追加に該当しない。
　そして、上記何れの訂正事項も実質上特許請求の範囲を拡張し、又は、変更するものではない。
　
（２−３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３・特許異議の申立てについての判断
　
（３−１）申立ての理由の概要
　申立人長谷川三冶子は、甲第１号証（実願昭６２ −１５４８６７号（実開平１−５９６７１号）のマイクロフィルム）、甲第２号証（特開昭６２−８００２８号公報）、甲第３号証（特開昭５５−７９８６７号公報）、甲第４号証（特開昭６２−１５３９９３号公報）を引用し、請求項１、２、４に係る発明は、甲第１、２号証記載の発明から、請求項３に係る発明は、甲第１ないし３号証記載の発明から、請求項５に係る発明は、甲第１、２、４号証記載の発明から、当業者が容易に発明できたものであり、これらの発明の特許は特許法第２９条第２項の規定により、拒絶の査定をしなければならない特許出願に対してなされたものであるから、取り消されるべき旨主張している。
　甲第１号証記載の発明に、甲第２〜４号証記載の発明を適用することにより、　
（３−２）本件発明
　上記２・で示したように上記訂正が認められるから、本件の請求項１ないし５に係る発明は、上記訂正に係る訂正明細書の特許請求の範囲の請求項１ないし５に記載されたとおりのものである。
上記（２−１）のア・訂正事項ａ参照。
　
（３−３）刊行物記載の発明
　甲第１号証（実願昭６２−１５４８６７号（実開平１−５９６７１号）のマイクロフィルム）（以下、「引用例１」という）には、以下の事項が記載されている。
ア．「（１）ホログラム薄膜層を形成した透明支持体と、適切な図柄模様を形成した基体力一ドとを一体に構成したことを特徴とする認証識別カード。」（第１頁第５行目〜７行目）、
イ．「適切な防止事項をホログラム記録した反射ホログラムを用いたものや、同様の透過ホログラムを貼り付けたものがある。」（第３頁第７行目〜９行目）
ウ．「偽造、変造、改ざん防止のためにカード面上に金色又は銀色の有彩色の金属光沢を持った金属箔面を形成することにより、一見して偽造カードの判別を可能とすることができる。しかし金属箔は不透明であるから、金属箔のパターンがカード上の記載事項や人物写真の上面に重ならないように配置しなければならない。．．．金属箔に光透過性を持たせるため金属箔を薄膜化すると、光沢が著しく低下し判別が困難となる。又反射ホログラムを利用したものも同様の欠点がある。」（第３頁第１１行目〜第４頁第１行目）、
エ．「認証識別カード１０は、絵柄５を目視可能としながら、ホログラム像７をも認識することが可能である。．．．カード基板４の面上には写真や印刷等の記録手段で必要な絵柄５が記載されている。この絵柄とは例えば本人の顔写真、氏名、生年月日、住所等と発行機関名、印章、番号等である。一方ホログラム薄膜層２は透明な樹脂で作られそのＢ面の一部又は全面に複写等による偽造、変造、改ざんを防止するためのある種のパターンを形成したホログラム像６を記録しておく。」（第６頁第４行目〜１６行目）、  
オ．「このようにホログラム像７が記録されたホログラム薄膜層２とカード基板４とを第２図のように熱接着剤によって透明性を損なわずに接着し、一体とした認証識別カード１０を形成する。」（第６頁第１８行目〜第７頁２行目）。
　これらの記載事項ア〜オ及び第２図の認証識別カード１０が、力一ド基板４、図柄５、接着剤層３、ホログラム薄膜層２、透明支持体１の順で積層している点からみて、引用例１には、以下の発明が記載されているものと認められる。
「片面に適切な絵柄５を記載したカード基板４と、透明な樹脂で作られそのＢ面の一部又は全面にある種のパターンを形成したホログラム像７が記録されたホログラム薄膜層２とを接着剤層３によって接着した認証識別カード１０。」（以下、「引用例１記載の発明」という）。
　
　同じく、甲第２号証（特開昭６２−８００２８号公報）（以下、「引用例２」という）には、以下の事項が記載されている。
カ．「射出成形用金型内に、ホログラム像形成用スタンパ版を該金型内面に対し、平面的になるよう固定、載置し、射出成形して成形品上にホログラム像の凹凸を形成し、該凹凸形成面側の光反射が不要の部分に該成形品と密着性を有しない易剥離性樹脂層を形成し、その上に蒸着により光反射層を設けた後、易剥離性樹脂層及び該樹脂層上の光反射層を剥離、除去し、さらに必要に応じて保護層を設けることを特徴とする部分蒸着ホログラムを有する成形品の製造方法。」（特許請求の範囲）、
キ．「本発明は、部分蒸着ホログラムを有する成形品の製造方法に関するものであり、詳しくは、電気製品．．．化粧品容器．．．等に部分的なホログラム像を現出させる製造方法に関する。」（公報第１頁左欄第１８行目〜右欄第４行目）
ク．「光反射層（４）としては、アルミニウム．．．などの一般的に使われる金属材料を用いることができ」（公報第３頁右上欄第４行目〜７行目）
ケ．「実施例１に示した射出成形用金型内にホログラム像形成用スタンパ版を該金型内面に対し、平面的になるよう固定、載置し、該金型内にＰＭＭＡ樹脂を射出成形し、ホログラム像の凹凸を有する射出成形品（６）を得た。該射出成形品（６）のホログラム像形成面（７）側に、ＰＭＭＡと良く密着する通常のシルクスクリーンインキを用いて文字、絵柄などの印刷層（８）を設け、その後、ホログラム像形成面（７）およびその外周面（９）、文字パターン（１０）以外の部分を実施例１で示した易剥離性樹脂溶液を用いてシルクスクリーン印刷した。十分に乾燥させた後、該易剥離性樹脂溶液面側よりアルミニウムを蒸着し、その後、易剥離性樹脂溶液で印刷してある部分及びこの上のアルミニウム、を粘着テープを用いて剥離、除去し、第７図に示すような部分蒸着ホログラムを有する射出成形品を得た。．．．さらには蒸着したアルミニウムによる文字パターン（１０）を有する外観の素晴らしいものであった。〔発明の効果〕本発明による方法により得られる部分蒸着ホログラム成形品は、光反射が必要な部分のみに光反射層を施すことができるため」（第４頁左上欄第１行目〜右上欄第７行目）。
　これらの記載事項カ〜ケからみて、引用例２には、以下の発明が記載されているものと認められる。
「同一面側に、ホログラム像形成面（７）、文字、絵柄などの印刷層（８）を設けた成形品（６）であって、ホログラム像形成面（７）、ホログラム像形成面の外周面（９）、文字パターン（１０）部分以外はアルミニウム等の金属材料を蒸着しない成形品の製造方法。」　
　同じく、甲第３号証（特開昭５５一７９８６７号公報）（以下、「引用例３」という）には、以下の事項が記載されている。
コ．「連続進行する蒸着基板に油を用いて未蒸着部分を付与しつつ、アルミニウム金属を真空蒸着するオイルマスク方式において、上記油の平均分子量が２３０〜６８０の間にあり、かつ温度２００℃における蒸気圧が０．１〜２０Ｔｏｒｒの特性を有する油を単独もしくは混合して使用することを特徴とする真空蒸着方法」（特許請求の範囲）、
サ．「従来から、亜鉛、アルミニウム．．．等の金属を用いた真空蒸着は行なわれており．．．装飾用及び電気用等に多用されている。そして上記真空蒸着は、蒸着基板全面を同一金属にて蒸着する場合と、例えば金属化コンデンサに使用される金属化紙及びフィルムにみられる如く、その一側縁に一定巾の非金属蒸着部（マージン）を必要とする場合が存在する。．．．未蒸着部分としての必要部分をテープで覆うテープマスク方式及び前記必要部分に油を付着させるオイルマスク方式等が公知である。」（第一頁左欄第１５行目〜右欄第１２行目）、
シ．「被蒸着基板１には所望のパターンにしたがった未蒸着部分７と蒸着部分８とが形成される。」（第２頁右上欄第１８行目〜２０行目）。
　
　同じく、甲第４号証（特開昭６２−１５３９９３号公報）（以下、「引用例４」という）には、以下の事項が記載されている。
ス．「カード基材上に、接着剤層を介して反射性薄膜層、ホログラム層、絵柄層が順次積層してなることを特徴とする絵柄付きホログラムカード。」（特許請求の範囲）。
　     
（３−４）本件請求項１に係る発明の特許について
（１）対比
　本件請求項１に係る発明（以下、「前者」という）と引用例１記載の発明（以下、「後者」という）とを対比すると、
　後者の「力一ド基板４」、「認証識別カード１０」及び「ホログラム薄膜層２」がそれぞれの機能に照らし、それぞれ
　前者の「カード基材」、「ホログラムカード」及び「ホログラム形成層」に相当するものと認められる。
　後者の「必要な絵柄５」は、文字情報等からなるもの（「この絵柄とは例えば本人の顔写真、氏名、生年月日、住所等と発行機関名、印章、番号等である。」（前記摘示の記載ウ．））であり、カード基板４の片面（第２図より）の一部（第１図より）に印刷され（「カード基板４の面上には．．．印刷等の記録手段で必要な絵柄５が記載されている。」（前記摘示の記載ウ．））ており、前者の「所望のデザイン」も文字情報により形成されているから、後者の「必要な絵柄５」は、前者の「片面または両面の一部に形成してなる所望のデザインからなる印刷層」に相当する。
　後者における「ホログラム薄膜層２」は、透明な樹脂で作られそのＢ面にホログラム像７を記録しており、カード基板４上の略全面に貼り合わされてなる（第１、２図より）から、前者における「ホログラム形成層」と対比して、「全面ホログラムの、透明または半透明の基材からなるホログラム面が形成されたホログラム形成層」である点において一致する。
　そうすると、両者は、
「片面または両面の一部に所望のデザインからなる印刷層を形成してなるカード基材上に全面ホログラムを貼り合わせてなるホログラムカードであって、前記全面ホログラムは、透明または半透明の基材からなるホログラム面が形成されたホログラム形成層と、カード基材上に貼り合わせられる接着剤層とを備えたホログラムカード」である点
において一致し、
・全面ホログラムが、前者は、ホログラム面上に印刷層に対応する箇所を除いて積層された金属薄膜層または蒸着層を備え、金属薄膜層上または蒸着層上に接着剤層が設けられ、ホログラム形成層の印刷層に対応する箇所を透明または半透明の窓部としているのに対し、後者は、金属薄膜層も蒸着層も備えておらず、畢竟、接着剤層が金属薄膜層上または蒸着層上に設けられることもなく、印刷層に対応する窓部もない点で相違する。
（２）相違点の検討
　相違点を検討するために引用例２をみるに、
　引用例２には、ホログラム像形成面（７）、ホログラム像形成面の外周面（９）、文字パターン（１０）部分以外はアルミニウム等の金属材料を蒸着しない成形品について記載されており、当然金属材料を蒸着しない部分の印刷層は見える。しかしながら、印刷層（８）は、ホログラム像形成面（７）の下面に設けられたものではなく、ホログラム像形成面（７）と重ならないように設けられており、ホログラム面上に印刷層に対応する箇所はない。引用例２のホログラム像形成面（７）には全面に金属材料が蒸着されており、引用例２の「部分蒸着ホログラム」は、ホログラムに金属材料を部分蒸着したという意味ではなく、成形品の１部に金属材料を蒸着したホログラムを設けたという意味であり、ホログラム全体にわたって金属材料が蒸着されている。したがって、引用例２には、相違点に係る構成である、ホログラム面上に印刷層に対応する箇所を除いて積層された金属薄膜層または蒸着層を備えた構成も、ホログラム形成層の印刷層に対応する箇所を透明または半透明の窓部とした構成も記載されていないが、成形品（カード基材に相当）の一部であって、印刷層のない部分に金属材料を蒸着する技術は記載されていると認められる。
　この技術を後者に適用することが想到容易か否かについて検討するに、後者の全面ホログラムの下には、印刷層があり、後者では、印刷層がある部分もない部分も等しくホログラムを視認できる構成となっている。ところが、引用例２記載の上記技術を後者に適用すれば、金属材料が蒸着されていない部分のホログラムは視認し難くなることが明らかである。後者において、絵柄や図柄と重なった部分のホログラムが、視認できなくともよいといったものであれば、引用例２を適用する余地があるかもしれないが、後者のホログラムがそのようなホログラムであると、認定すべき根拠はない。
　本件全証拠を検討しても、全面ホログラムでありながら、印刷部と重なった部分と、そうでない部分に於いてホログラムの見え方に差異があるものは認めることが出来ない。そうであれば、後者に引用例２を適用することは阻害要件があると言うべきであるから、引用例２の存在をもって、相違点に係る本件発明の構成を当業者が容易に想到できたものとはいえない。
　してみると、請求項１に係る発明は、引用例１及び２（異議申立人が引用した甲第１及び２号証、取消の理由に引用された引用文献１及び２）に記載された発明に基づいて当業者が容易に発明できたものとすることができない。
　
（３−５）本件請求項２ないし５に係る発明の特許について
　本件請求項２ないし５に係る発明について検討するに、請求項２ないし５に係る発明は、前者の構成要件を全て含み、さらに他の構成要件を付加したものに相当するから、上記（３−４）で説示したと同様の理由により、請求項２、４に係る発明は、引用例１及び２に記載された発明に基づいて、請求項３に係る発明は、引用例１ないし３（異議申立人が引用した甲第１ないし３号証、取消の理由に引用された引用文献１ないし３）に記載された発明に基づいて、請求項５に係る発明は引用例１、２、４（異議申立人が引用した甲第１、２、４号証、取消の理由に引用された引用文献１、２、４）に記載された発明に基づいて当業者が容易に発明できたものとすることができない。　
　　
４・まとめ
　以上のとおり、本件請求項１ないし５に係る発明の特許は、特許異議申立の理由及び証拠によっては取り消すことができなく、また、他に請求項１ないし５に係る発明の特許を取り消すべき理由を発見しない。
　本件請求項１ないし５に係る発明の特許は拒絶の査定をしなければならない特許出願に対してされたものと認めることができないから、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、
結論のとおり決定する。
【異議決定日】
平成１６年２月２日（２００４．２．２）
【訂正の要旨】
審決（決定）の【理由】欄参照。
（５４）【発明の名称】
ホログラムカード
（５７）【特許請求の範囲】
　【請求項１】　片面または両面の一部に所望のデザインからなる印刷層を形成してなるカード基材上に全面ホログラムを貼り合わせてなるホログラムカードであって、前記全面ホログラムは、透明または半透明の基材からなるホログラム面が形成されたホログラム形成層と、前記ホログラム面上に前記印刷層に対応する箇所を除いて積層された金属薄膜層または蒸着層と、この金属薄膜層上または蒸着層上に設けられ、前記カード基材上に貼り合わせられる接着剤層とを備え、前記ホログラム形成層の前記印刷層に対応する箇所を透明または半透明の窓部として成ることを特徴とするホログラムカード。
　【請求項２】　前記ホログラム形成層は、ホログラム面が全面に形成されて成ることを特徴とする請求項１に記載のホログラムカード。
　【請求項３】　前記ホログラム形成層の窓部に対応する箇所に難蒸着性インキを設けて成
り、前記金属薄膜層または蒸着層は、光反射性を有する
　【請求項４】　前記ホログラム形成層上に保護層を設けて成
り、前記印刷層は、少なくともマイクロ文字の印刷部を含んでいる
　【請求項５】　前記ホログラム形成層上に絵柄層を設けて成ることを特徴とする請求項４に記載のホログラムカード。
【発明の詳細な説明】
　【０００１】
　【産業上の利用分野】
　本発明は、カード上にホログラムを形成して成るホログラムカードに係り、特に印刷とホログラムをほぼ近接して形成するホログラムカードに関するものである。
　【０００２】
　【従来の技術】
　ＩＤカード、クレジットカード，プリペイドカード等の有価証券に相当する各種カード類は、その固有の価値から、偽造、変造、改ざん等によって不正なカードが作られ、悪用されることが多い。そこで、近年では、光の干渉および回折現象を利用し、物体の三次元情報を表示するホログラム画像を有するホログラムが、偽造防止手段として利用されてきている。一般的には、このホログラムは、白色光再生型であるレインボウホログラムが用いられている。
　【０００３】
　このホログラムによる偽造防止手段は、あらかじめ反射層を含むホログラム形成層、絵柄層、保護層等が積層されたホログラムシールまたはホログラム転写箔により、所望のカードにホログラムを形成している。
　【０００４】
　ところが、従来より、ホログラムを設けたカードは、そのホログラムは、小さいために目立つところがなく、偽造され易いものであったことから、ホログラムを大型して、目立つようにすると共に、その大きさから偽造し難くすることが考えられている。そのため、従来カードへのホログラム形成手段とされていた、ホログラムシールまたはホログラム転写箔によるホログラム形成ができなくなり、カード上に後工程でホログラムを形成するよりも、カード内部にホログラムを作り込むことが求められてきている。
　【０００５】
　また、カードに設けられるホログラムは、ホログラムと文字情報等と組み合わされることが多く、ホログラムのデザインと共に、マイクロ文字からなる文字情報が形成されるが、従来の小さなホログラムでは問題はほとんどないものであったが、ホログラムがカード全面に設けられるようになると、さまざまな問題を生じてくる。
　【０００６】
　【発明が解決しようとする課題】
　全面にホログラムを形成したカードでは、カードにホログラムを設け、さらに印刷により文字情報を形成するように構成するため、通常のカード製造工程に、ホログラムと文字情報を形成する工程を追加することになるが、ホログラムを転写して、ホログラム形成層を設け、その上に文字情報をオフセット印刷により形成するが、印刷面を露出させると、何らかの原因により、印刷面の剥離、傷の発生を生じる等、耐久性が問題となるため、印刷面にさらに保護層を熱圧着させる必要があり、カードが層厚になるという問題を有している。
　【０００７】
　また、印刷工程により印刷するホログラム形成層表面に傷が生じることがあり、不良品を発生する元となっている。
　【０００８】
　さらに、ホログラムを大型化することにより、カード全面にホログラムとその反対層が形成されるため、カード表面に印刷される文字、デザイン等の印刷情報が、ホログラム効果によって見え難くなるという問題を有している。
　【０００９】
　本発明は、上記のような問題を解消するために成されたもので、その目的は印刷層の耐久性の向上、ホログラム表面上への傷付きを無くすことによるホログラム効果の向上、ならびに層厚を薄くすることによるカード自体の厚みの低減を図ることが可能なホログラムカードを提供することにある。
　【００１０】
　【課題を解決するための手段】
　上記の目的を達成するために、本発明のホログラムカードは、片面または両面の一部に所望のデザインからなる印刷層を形成してなるカード基材上に全面ホログラムを貼り合わせてなるホログラムカードであって、前記全面ホログラムとしては、透明または半透明の基材からなるホログラム面が形成されたホログラム形成層と、前記ホログラム面上に前記印刷層に対応する箇所を除いて積層された金属薄膜層または蒸着層と、この金属薄膜層上または蒸着層上に設けられ、前記カード基材上に貼り合わせられる接着剤層とを備え、前記ホログラム形成層の前記印刷層に対応する箇所を透明または半透明の窓部として成っている。
　【００１１】
　ここで、特に上記ホログラム形成層は、ホログラム面が全面に形成されて成る。
　【００１２】
　また、上記ホログラム形成層の窓部に対応する箇所に難蒸着性インキを設けて成る。
上記金属薄膜層または蒸着層は、光反射性を有している。
　【００１３】
　さらに、上記ホログラム形成層上に保護層を設けて成る。
上記印刷層は、少なくともマイクロ文字の印刷部を含んでいる。
　【００１４】
　さらに、上記ホログラム形成層上に絵柄層を設けて成る。
　【００１５】
　【作用】
　従って、本発明のホログラムカードにおいては、カード基材上に印刷層が形成され、この印刷層を透過可能に、金属薄膜層または蒸着層、ホログラム形成層が形成されることにより、これによって生じる窓部を通して印刷層を外部から目視することができる。
　【００１６】
　【実施例】
　以下、本発明の一実施例について図面を参照して詳細に説明する。
　【００１７】
　図１は本発明によるホログラムカードの構成例を示す平面図、図２は同ホログラムカードの構成例を示す側断面図である。
　【００１８】
　すなわち、図１および図２に示すように、本実施例のホログラムカード１は、カード基材２上の一部に印刷層３を設け、この印刷層３に対応した部所に透明または半透明の窓部Ｄ，Ｅを設けた全面ホログラム５を貼り合わせる構成とした構成としている。
　【００１９】
　ここで、印刷層３は、図示のように、マイクロ文字の印刷部３Ａと、通常の印刷部３Ｂおよび３Ｃとからなっている。
　【００２０】
　また、全面ホログラム５は、透明の保護層６と、保護層６上に設けられた所定の画像（本例では、ＴＯＰの文字画像）を有するホログラム形成層７と、ホログラム形成層７上に設けられた光反射性のアルミニウム蒸着層８と、アルミニウム蒸着層８上に設けられた接着剤層９とからなっている。
　【００２１】
　一方、上記において、カード基材２は、その素材として、例えばポリ塩化ビニル、ＰＥＴ、紙等を使用することができる。
　【００２２】
　また、保護層６は、透明な合成樹脂フィルム（例えば、ポリエチレンテレフタレート等）からなるものである。
　【００２３】
　さらに、ホログラム形成層７は、例えば表面に物体からの光の波面に相当する干渉縞が凹凸の模様として形成されている、白色光再生型のレインボーホログラムエンボス面（ホログラム画像）を備えているものである。また、ホログラム形成層７の素材としては、成型性の良好な透明樹脂が用いられる。例えば、塩化ビニル、酢酸ビニル共重合体とウレタン樹脂との混合物等を使用することができる。
　【００２４】
　また、アルミニウム蒸着層８は、ホログラム形成層７の表面に、アルミニウムを蒸着することによって形成し、光反射性の蒸着層を得ることができる。そして、この蒸着の際に、窓部となる箇所に所定形状を有するマスクをして、非蒸着部分を作り出すか、難蒸着性インキ所定形状に塗布して、蒸着を困難とするか、蒸着されても後加工によって、容易に蒸着部分を除去可能にすることで、非無蒸着部分とすることにより、アルミニウム蒸着層８の印刷層３に対応した箇所に窓部Ｄ，Ｅが設けられるようにする。また、この窓部Ｄ，Ｅは、所望の大きさ、所望の形状（本例では、円形状，三角形状）、所望の位置に任意に設けることができる。
　【００２５】
　さらに、接着剤層９は、アルミニウム蒸着層８の表面に、透明な感熱性接着剤（例えば、ポリエステル樹脂と塩酢酸ビニル樹脂等）を薄膜状に塗布してなり、カード本体４と全面ホログラム５本体とを貼り合わせるものである。
　【００２６】
　次に、以上のように構成した本実施例のホログラムカードにおいては、カード基材２上の一部に印刷層３を設け、この印刷層３に対応した部所に透明または半透明の窓部Ｄ，Ｅを設けた全面ホログラム５を貼り合わせることにより、印刷層３のデザインを、窓部Ｄ，Ｅを通して外部から容易に見ることができる。
　【００２７】
　これにより、印刷層３がホログラム５で隠蔽されるため、印刷層３の耐久性を向上させることができる。
　【００２８】
　また、印刷を行なった後にホログラム５を転写するため、ホログラム５表面上に傷が付くことがなく、ホログラム効果（意匠効果）も十分に得ることができる。
　【００２９】
　さらに、印刷層３保護用の透明シート等を設けないため、層厚が厚くなることがなく、ホログラムカード１自体の厚みを規格内にすることができる。
　【００３０】
　上述したように、本実施例のホログラムカード１は、カード基材２上の一部に印刷層３を設け、この印刷層３に対応した部所に透明または半透明の窓部Ｄ，Ｅを設けた全面ホログラム５を貼り合わせる構成としたものである。
　【００３１】
　従って、次のような種々の効果が得られるものである。
　【００３２】
　（ａ）印刷層３がホログラム５で隠蔽されているので、印刷層３の耐久性を向上させることが可能となる。
　【００３３】
　（ｂ）印刷を行なった後にホログラム５を転写しているので、ホログラム５表面上に傷が付くことがなく、ホログラム効果（意匠効果）も十分に得ることが可能となる。
　【００３４】
　（ｃ）従来のように印刷層３保護用の透明シート等を設ける必要がないので、層厚が厚くなることがなく、ホログラムカード１自体の厚みを規格内にすることが可能となる。
　【００３５】
　（ｄ）従来から用いられている印刷による偽造防止技術を、そのまま採用することが可能となる。
　【００３６】
　（ｅ）デザイン上、印刷、ホログラム５の窓部Ｄ，Ｅの大きさ、形状、位置が自由に任意に選択できるので、種々のデザインに対応することが可能となる。
　【００３７】
　（ｆ）上記（ｄ）と（ｅ）を組み合わせることにより、ホログラム画像のみに頼っていた偽造防止効果に、デザイン上の複雑性、さらに印刷による偽造防止効果が加わるので、より一層偽造が困難となる。
　【００３８】
　（ｇ）マイクロ文字等の高度な印刷技術を要するパターンは、ホログラムの上に印刷することは技術的に非常に困難であるが、本実施例では、カード基材１上への通常の印刷手法で印刷することが可能となる。
　【００３９】
　尚、本発明は上記実施例に限定されるものではなく、次のようにして同様に実施できるものである。
　【００４０】
　（ａ）上記実施例では、全面ホログラム５として転写箔タイプのものを用いる場合について説明したが、これに限らず、全面ホログラム５としてシールタイプのものを用いることも可能である。
　【００４１】
　（ｂ）上記実施例では、カード基材２上の片面に印刷層３を設ける場合について説明したが、これに限らず、カード基材２上の両面に印刷層３を設ける場合についても、本発明を同様に適用することが可能である。
　【００４２】
　（ｃ）上記実施例では、カード基材２上の一部に印刷層３を設ける場合について説明したが、これに限らず、カード基材２上の全面に印刷層３を設ける場合についても、本発明を同様に適用することが可能である。
　【００４３】
　（ｄ）上記実施例では、蒸着金属としてアルミニウムを用いる場合について説明したが、これに限らず、他の金属（例えば、金、銀、クロム、ニッケル、銅、鉛、亜鉛、錫、あるいはこれらの合金等）を蒸着するようにしてもよい。
　【００４４】
　【発明の効果】
　以上説明したように本発明によれば、片面または両面の一部に所望のデザインからなる印刷層を形成してなるカード基材上に全面ホログラムを貼り合わせてなるホログラムカードであって、前記全面ホログラムとしては、透明または半透明の基材からなるホログラム面が形成されたホログラム形成層と、前記ホログラム面上に前記印刷層に対応する箇所を除いて積層された金属薄膜層または蒸着層と、この金属薄膜層上または蒸着層上に設けられ、前記カード基材上に貼り合わせられる接着剤層とを備え、前記ホログラム形成層の前記印刷層に対応する箇所を透明または半透明の窓部として構成したので、印刷層の耐久性の向上、ホログラム表面上への傷付きを無くすことによるホログラム効果の向上、ならびに層厚を薄くすることによるカード自体の厚みの低減を図ることが可能なホログラムカードが提供できる。
【図面の簡単な説明】
　【図１】　本発明によるホログラムカードの一実施例を示す平面図。
　【図２】　同実施例におけるホログラムカードの側断面図。
　【符号の説明】
　１…ホログラムカード、２…カード基材、３…印刷層、４…カード本体、５…全面ホログラム、６…透明の保護層、７…ホログラム形成層、８…光反射性のアルミニウム蒸着層、９…接着剤層、３Ａ…マイクロ文字の印刷部、３Ｂ，３Ｃ…通常の印刷部、Ｄ，Ｅ…窓部。